(57)【特許請求の範囲】
【請求項１】
焦点が光源近傍に設定された略回転放物面を基調として構成された反射鏡において、
前記反射鏡は、前記略回転放物面に沿って一の方向に延びる二本のガイドカーブの間に配置された反射面を複数含んでおり、
前記複数の反射面はそれぞれ、前記光源から入射する光の入射位置が一端側から他端側にシフトするにつれ、前記光源から入射する光の反射方向が光軸に対して傾斜した方向から光軸寄りの方向、光軸方向、光軸方向から元の方向に連続的に変化し、再び元の反射方向に戻るように、前記一の方向に直交する平面による切断位置が一端側から他端側にシフトするにつれ、前記二本のガイドカーブの間に現れる断面の傾斜角度が連続的に変化し、再び元の傾斜角度に戻る周期的な反射面として構成されていることを特徴とする反射鏡。
【請求項２】
焦点が光源近傍に設定された略回転放物面に沿って鉛直方向に延び、かつ、並列に配置された縦長の複数の分割面を含む反射鏡において、
前記複数の分割面はそれぞれ、前記略回転放物面に沿って鉛直方向に延びる二本の第１ガイドカーブの間に配置された第１反射面を含む少なくとも１つの分割面と、前記二本の第１ガイドカーブと左右対称の二本の第２ガイドカーブの間に配置された第２反射面を含む少なくとも１つの分割面と、を含んでおり、
前記第１反射面は、前記光源から入射する光の入射位置が一端側から他端側にシフトするにつれ、前記光源から入射する光の反射方向が右方向から光軸寄りの方向、光軸方向、光軸方向から右方向に連続的に変化し、再び元の反射方向に戻るように、鉛直方向に直交する平面による切断位置が一端側から他端側にシフトするにつれ、前記二本の第１ガイドカーブの間に現れる断面の傾斜角度が連続的に変化し、再び元の傾斜角度に戻る周期的な反射面として構成されており、
前記第２反射面は、前記光源から入射する光の入射位置が一端側から他端側にシフトするにつれ、前記光源から入射する光の反射方向が左方向から光軸寄りの方向、光軸方向、光軸方向から左方向に連続的に変化し、再び元の反射方向に戻るように、鉛直方向に直交する平面による切断位置が一端側から他端側にシフトするにつれ、前記二本の第２ガイドカーブの間に現れる断面の傾斜角度が連続的に変化し、再び元の傾斜角度に戻る周期的な反射面として構成されていることを特徴とする車両用灯具に用いられる反射鏡。
【請求項３】
焦点が光源近傍に設定された略回転放物面に沿って同心円状に配置された複数の環状分割面を含む反射鏡において、
前記分割面はそれぞれ、前記略回転放物面に沿って前記環状分割面の周方向に延びる二本のガイドカーブの間に配置された反射面を含んでおり、
前記反射面は、前記光源から入射する光の入射位置が一端側から他端側にシフトするにつれ、前記光源から入射する光の反射方向が光軸に対して傾斜した方向から光軸寄りの方向、光軸方向、光軸方向から元の方向に連続的に変化し、再び元の反射方向に戻るように、前記環状分割面の周方向に直交する平面による切断位置が一端側から他端側にシフトするにつれ、前記二本のガイドカーブの間に現れる断面の傾斜角度が連続的に変化し、再び元の傾斜角度に戻る周期的な反射面として構成されていることを特徴とする反射鏡。
【発明の詳細な説明】
【技術分野】
【０００１】
本発明は、反射鏡に係り、特に光源点灯時の見栄えが異なる新規見栄えの灯具を構成することが可能な反射鏡に関する。
【背景技術】
【０００２】
従来、車両用灯具の分野においては、焦点が光源近傍に設定された概ね回転放物面を基調として構成された反射鏡が知られている（例えば特許文献１参照）。
【０００３】
図１３に示すように、特許文献１に記載の反射鏡２００は、上下方向に延び、かつ、左右方向に並列に配置された縦長の複数の分割面２１０を含んでおり、これら複数の分割面２１０に入射した光源（図示せず）からの光を個々の分割面２１０で反射して所定の配光パターンを形成する構成である。
【先行技術文献】
【特許文献】
【０００４】
【特許文献１】特開平１０−３２９６０２号公報
【発明の概要】
【発明が解決しようとする課題】
【０００５】
しかしながら、上記構成の特許文献１に記載の反射鏡においては、複数の分割面２１０に分割されてはいるものの、個々の分割面２１０が単純な回転放物面として構成されているため、光源の点灯時、非点灯時の見栄えが画一的になってしまう、という問題がある。
【０００６】
本発明は、このような事情に鑑みてなされたものであり、光源点灯時の見栄えが異なる新規見栄えの灯具を構成することが可能な反射鏡を提供することを目的とする。
【課題を解決するための手段】
【０００７】
上記課題を解決するため、請求項１に記載の発明は、焦点が光源近傍に設定された略回転放物面を基調として構成された反射鏡において、前記反射鏡は、前記略回転放物面に沿って一の方向に延びる二本のガイドカーブの間に配置された反射面を複数含んでおり、前記複数の反射面はそれぞれ、前記光源から入射する光の入射位置が一端側から他端側にシフトするにつれ、前記光源から入射する光の反射方向が光軸に対して傾斜した方向から光軸寄りの方向、光軸方向、光軸方向から元の方向に連続的に変化し、再び元の反射方向に戻るように、前記一の方向に直交する平面による切断位置が一端側から他端側にシフトするにつれ、前記二本のガイドカーブの間に現れる断面の傾斜角度が連続的に変化し、再び元の傾斜角度に戻る周期的な反射面として構成されていることを特徴とする。
【０００８】
請求項１に記載の発明によれば、周期的な反射面の作用により、光源の点灯時に視点位置に応じて反射面の異なる位置に高輝度の輝点が現れる新規な見栄えを実現することが可能であり、なおかつ、視点位置を移動しても視認されやすい視認性のよい灯具を構成することが可能となる。
【０００９】
請求項２に記載の発明は、焦点が光源近傍に設定された略回転放物面に沿って鉛直方向に延び、かつ、並列に配置された縦長の複数の分割面を含む反射鏡において、前記複数の分割面はそれぞれ、前記略回転放物面に沿って鉛直方向に延びる二本の第１ガイドカーブの間に配置された第１反射面を含む少なくとも１つの分割面と、前記二本の第１ガイドカーブと左右対称の二本の第２ガイドカーブの間に配置された第２反射面を含む少なくとも１つの分割面と、を含んでおり、前記第１反射面は、前記光源から入射する光の入射位置が一端側から他端側にシフトするにつれ、前記光源から入射する光の反射方向が右方向から光軸寄りの方向、光軸方向、光軸方向から右方向に連続的に変化し、再び元の反射方向に戻るように、鉛直方向に直交する平面による切断位置が一端側から他端側にシフトするにつれ、前記二本の第１ガイドカーブの間に現れる断面の傾斜角度が連続的に変化し、再び元の傾斜角度に戻る周期的な反射面として構成されており、前記第２反射面は、前記光源から入射する光の入射位置が一端側から他端側にシフトするにつれ、前記光源から入射する光の反射方向が左方向から光軸寄りの方向、光軸方向、光軸方向から左方向に連続的に変化し、再び元の反射方向に戻るように、鉛直方向に直交する平面による切断位置が一端側から他端側にシフトするにつれ、前記二本の第２ガイドカーブの間に現れる断面の傾斜角度が連続的に変化し、再び元の傾斜角度に戻る周期的な反射面として構成されていることを特徴とする。
【００１０】
請求項２に記載の発明によれば、周期的な第１反射面、第２反射面の作用により、左右方向に拡散される車両用灯具に適した配光パターンを形成することが可能となる。
【００１１】
また、請求項２に記載の発明によれば、周期的な第１反射面、第２反射面の作用により、光源の点灯時に視点位置に応じて第１反射面（第２反射面も同様）の異なる位置に高輝度の輝点が現れることとなり、視点位置を移動しても視認されやすい視認性のよい車両用灯具を構成することが可能となる。
【００１２】
以上のように、請求項２に記載の発明によれば、車両用灯具に適した配光パターンを形成することが可能であり、点灯時に視点位置に応じて高輝度の輝点が現れる新規な見栄えを実現することが可能であり、なおかつ、視点位置を移動しても視認されやすい視認性のよい車両用灯具を構成することが可能となる。
【００１３】
請求項３に記載の発明は、焦点が光源近傍に設定された略回転放物面に沿って同心円状に配置された複数の環状分割面を含む反射鏡において、前記分割面はそれぞれ、前記略回転放物面に沿って前記環状分割面の周方向に延びる二本のガイドカーブの間に配置された反射面を含んでおり、前記反射面は、前記光源から入射する光の入射位置が一端側から他端側にシフトするにつれ、前記光源から入射する光の反射方向が光軸に対して傾斜した方向から光軸寄りの方向、光軸方向、光軸方向から元の方向に連続的に変化し、再び元の反射方向に戻るように、前記環状分割面の周方向に直交する平面による切断位置が一端側から他端側にシフトするにつれ、前記二本のガイドカーブの間に現れる断面の傾斜角度が連続的に変化し、再び元の傾斜角度に戻る周期的な反射面として構成されていることを特徴とする。
【００１４】
請求項３に記載の発明によれば、周期的な反射面の作用により、光源の点灯時に視点位置に応じて反射面の異なる位置に高輝度の輝点が現れる新規な見栄えを実現することが可能であり、なおかつ、視点位置を移動しても視認されやすい視認性のよい灯具を構成することが可能となる。
【発明の効果】
【００１５】
本発明によれば、光源点灯時の見栄えが異なる新規見栄えの灯具を構成することが可能な反射鏡を提供することが可能となる。
【図面の簡単な説明】
【００１６】
【図１】本発明の実施形態である反射鏡２０の斜視図である。
【図２】図１に示した反射鏡２０の正面図である。
【図３】図２に示した反射鏡２０のＡ−Ａ断面図である。
【図４】図２に示した反射鏡２０のＢ−Ｂ断面図である。
【図５】図２に示した反射鏡２０のＣ−Ｃ断面図である。
【図６】（ａ）ガイドカーブＣ１、Ｃ２の間に配置された第１反射面２１aを含む分割面２１Ａの正面図、（ｂ）ガイドカーブＣ１、Ｃ２の説明図、（ｃ）第１反射面２１ａの各断面に入射した光源１０からの光の反射方向を説明するための図である。
【図７】（ａ）ガイドカーブＣ３、Ｃ４の間に配置された第２反射面２１ｂを含む分割面２１Ｂの正面図、（ｂ）ガイドカーブＣ３、Ｃ４の説明図、（ｃ）第２反射面２１ｂの各断面に入射した光源１０からの光の反射方向を説明するための図である。
【図８】図１、図２に示した反射鏡２０により形成される配光パターンＰ例である。
【図９】視点位置ＶＰに応じて高輝度の輝点が現れることを説明するための図である。
【図１０】（ａ）反射鏡２０の変形例の正面図、（ｂ）Ａ−Ａ断面図、（ｃ）Ｂ−Ｂ断面図、（ｄ）Ｃ−Ｃ断面図、（ｅ）Ｄ−Ｄ断面図である。
【図１１】反射鏡２０の変形例の斜視図である。
【図１２】反射鏡２０の変形例の一部をカットした状態の斜視図である。
【図１３】従来の反射鏡２００の構成を説明するための図である。
【発明を実施するための形態】
【００１７】
以下、本発明の実施形態である灯具について図面を参照しながら説明する。
【００１８】
本実施形態の灯具１００は、車両用灯具（テールランプ、ストップランプ、ターンシグナルランプ、デイタイムランニングランプ、ポジションランプ等）、一般照明機器、遊技照明灯具に適用されるものであり、図１、図２に示すように、光源１０、反射鏡２０等を備えている。
【００１９】
光源１０としては、例えば、白熱電球を用いることが可能である。
【００２０】
図３は図２に示した反射鏡２０のＡ−Ａ断面図、図４はＢ−Ｂ断面図、図５はＣ−Ｃ断面図である。図３〜図５に示すように、反射鏡２０は、焦点Ｆが光源１０近傍に設定された略回転放物面ＰＳを基調として構成された反射面である。反射鏡２０は、例えば、リフレクタ基材に対しアルミ蒸着や銀色塗装等を施すことで形成された反射膜を含んでいる。
【００２１】
図２に示すように、反射鏡２０は、光軸ＡＸに対し平行な鉛直面により分割された複数の分割面２１（図２中符号２１ａ、２１ｂ参照）を含んでいる。
【００２２】
分割面２１は、略回転放物面ＰＳに沿って一の方向（例えば鉛直方向）に延び、かつ、左右方向に並列に配置された縦長の分割面である。
【００２３】
分割面２１は、光源１０から入射した光を制御された光として反射し、所定の配光パターンを形成するために、略回転放物面ＰＳに沿って一の方向（例えば鉛直方向）に延びる二本のガイドカーブＣ１、Ｃ２の間に配置された第１反射面２１aを含む少なくとも１つの分割面２１Ａと（図６（ａ）参照）、二本のガイドカーブＣ１、Ｃ２と左右対称の二本のガイドカーブＣ３、Ｃ４の間に配置された第２反射面２１ｂを含む少なくとも１つの分割面２１Ｂと（図７（ａ）参照）、を含んでいる。
【００２４】
図６（ａ）〜図６（ｃ）に示すように、第１反射面２１ａは、光源１０から入射する光の入射位置が一端側２１ａ１から他端側２１ａ２にシフトするにつれ、光源１０から入射する光の反射方向が図６（ｃ）中右方向から光軸ＡＸ寄りの方向、光軸ＡＸ方向、光軸ＡＸ方向から図６（ｃ）中右方向に連続的に変化し、再び元の反射方向に戻るように、一の方向に直交する平面（例えば水平面）による切断位置が一端側２１ａ１から他端側２１ａ２にシフトするにつれ、二本のガイドカーブＣ１、Ｃ２の間に現れる水平断面（直線断面又は曲線断面。図６（ｃ）は直線断面の例である）の傾斜角度が連続的に変化し、再び元の傾斜角度に戻る（特に図６（ｃ）参照）周期的な反射面として構成されている。
【００２５】
図７（ａ）〜図７（ｃ）に示すように、第２反射面２１ｂは、光源１０から入射する光の入射位置が一端側２１ｂ１から他端側２１ｂ２にシフトするにつれ、光源１０から入射する光の反射方向が図７（ｃ）中左方向から光軸ＡＸ寄りの方向、光軸ＡＸ方向、光軸ＡＸ方向から図７（ｃ）中左方向に連続的に変化し、再び元の反射方向に戻るように、一の方向に直交する平面（例えば水平面）による切断位置が一端側２１ｂ１から他端側２１ｂ２にシフトするにつれ、二本のガイドカーブＣ３、Ｃ４の間に現れる水平断面（直線断面又は曲線断面。図７（ｃ）は直線断面の例である）の傾斜角度が連続的に変化し、再び元の傾斜角度に戻る（特に図７（ｃ）参照）周期的な反射面として構成されている。
【００２６】
なお、第１反射面２１ａ、第２反射面２１ｂは、Ｎ周期分連続していてもよい。
【００２７】
上記構成の第１反射面２１ａ、第２反射面２１ｂによれば、第１反射面２１ａ、第２反射面２１ｂに入射した光源１０からの光は、特定の断面に注目すると一方向に反射されるのみであるが、一周期分の第１反射面２１ａ、第２反射面２１ｂ全体に注目すると左方向、正面方向、右方向を含む全方向に反射されることとなる（図６（ｃ）、図７（ｃ）参照）。
【００２８】
したがって、例えば、図２に示すように、第１反射面２１ａ、第２反射面２１ｂを組み合わせて左右対称に配置することで、左右方向に略均等に拡散される横長の配光パターン（特に車両用灯具に適した配光パターン）を形成することが可能となる。
【００２９】
図２は、第１反射面２１ａ、第２反射面２１ｂを、隣接する第１反射面２１ａ、第２反射面２１ｂに対して鉛直方向に周期をずらして（例えば１／４周期ずらして）配置した例である。図２に記載の反射鏡２０によれば、第１反射面２１ａ、第２反射面２１ｂの作用により、法規が要求する光度を満たす車両用灯具に適した配光パターンＰ（図８参照）を形成することが可能となる。
【００３０】
以上説明したように、本実施形態の灯具１００によれば、左右対称に配置された第１反射面２１ａ、第２反射面２１ｂの作用により、左右方向に略均等に拡散される所定の配光パターン（特に車両用灯具に適した配光パターンＰ。図８参照）を形成することが可能となる。
【００３１】
また、本実施形態の灯具１００によれば、第１反射面２１ａ（第２反射面２１ｂも同様）は、光源１０から入射する光の入射位置が反射面２１ａの一端側から他端側にシフトするにつれ、光源１０から入射する光の反射方向が図６（ｃ）中右方向から光軸ＡＸ寄りの方向、光軸ＡＸ方向、光軸ＡＸ方向から図６（ｃ）中右方向のように連続的に変化し、再び元の反射方向に戻るように構成されているため（図６（ｃ）、図７（ｃ）参照）、例えば、光源１０の点灯時に視点位置ＶＰ（図６（ｃ）、図７（ｃ）参照）に応じて第１反射面２１ａ（第２反射面２１ｂも同様）の異なる位置に高輝度の輝点Ｂｐ（図９参照）が現れることとなり、視点位置を移動しても視認されやすい視認性のよい車両用灯具を構成することが可能となる。
【００３２】
以上のように、本実施形態の灯具１００によれば、車両用灯具に適した配光パターンＰ（図８参照）を形成することが可能であり、点灯時に視点位置ＶＰに応じて高輝度Ｂｐの輝点が現れる新規な見栄えを実現することが可能であり、なおかつ、視点位置を移動しても視認されやすい視認性のよい灯具を構成することが可能となる。
【００３３】
また、本実施形態の灯具１００によれば、非点灯時も外光（室内の照明や太陽光）に反射してキラキラと質感のある見栄えを提供することが可能となる。
【００３４】
なお、一般照明機器、遊技照明灯具を構成する場合には、第１反射面２１ａ又は第２反射面２１ｂの少なくとも一方を含む反射鏡２０を用いることが可能である。
【００３５】
次に、変形例について説明する。
【００３６】
上記実施形態では、分割面２１は略回転放物面ＰＳに沿って鉛直方向に延び、かつ、左右方向に並列に配置された縦長の分割面であるように説明したが、本発明はこれに限定されない。例えば、分割面２１は、図１０〜図１２に示すように、略回転放物面ＰＳに沿って同心円状に配置された少なくとも１つの環状分割面であってもよい。
【００３７】
また、上記実施形態では、第１反射面２１aは略回転放物面ＰＳに沿って鉛直方向に延びる二本のガイドカーブＣ１、Ｃ２の間に配置されており、第２反射面２１ｂは二本のガイドカーブＣ１、Ｃ２と左右対称の二本のガイドカーブＣ１、Ｃ２の間に配置されているように説明したが、本発明はこれに限定されない。例えば、図１０〜図１２に示すように、第１反射面２１ａ（第２反射面２１ｂも同様）は略回転放物面ＰＳに沿って環状分割面２１の周方向に延びる二本のガイドカーブＣ１、Ｃ２の間に配置されていてもよい。
【００３８】
上記実施形態はあらゆる点で単なる例示にすぎない。これらの記載によって本発明は限定的に解釈されるものではない。本発明はその精神または主要な特徴から逸脱することなく他の様々な形で実施することができる。
【符号の説明】
【００３９】
１０…光源、２０…反射鏡、２１…分割面、２１ａ…第１反射面、２１ｂ…第２反射面、１００…灯具、ＰＳ…略回転放物面、Ｃ１〜Ｃ４…ガイドカーブ
【図１】
0005582334.tif 000002
【図２】
0005582334.tif 000003
【図３】
0005582334.tif 000004
【図４】
0005582334.tif 000005
【図５】
0005582334.tif 000006
【図６】
0005582334.tif 000007
【図７】
0005582334.tif 000008
【図８】
0005582334.tif 000009
【図９】
0005582334.tif 000010
【図１０】
0005582334.tif 000011
【図１１】
0005582334.tif 000012
【図１２】
0005582334.tif 000013
【図１３】
0005582334.tif 000014